(57)【要約】【課題】電話装置において受話経路に入来する信号に単純に帯域拡張処理をおこなうと、遠端話者の音声だけでなく側音も帯域拡張されてしまう。【解決手段】送話の有無を検出する送話検出部１０２によって近端話者が送話中かどうかを判断し、送話中でないと判断するときのみ受話信号を帯域拡張部１０４に渡す。これにより近端話者が送話中であるときに側音が帯域拡張されて歪や雑音が増大することがなくなり、必要時のみ帯域拡張処理をおこなうことで良好な通話を実現することができる。【選択図】図１
2005101917.tif 000002
【特許請求の範囲】
【請求項１】
送話信号の有無を検出する送話検出部と、
狭帯域音声信号から広帯域音声信号を擬似的に生成する帯域拡張部と、
前記帯域拡張部の演算処理によって生じる遅延時間と同量の遅延を、狭帯域音声信号に与える遅延部と、
前記送話検出部が送話信号無しと判断した場合には電話回線側から入来する受話信号を前記帯域拡張部に渡し、前記送話検出部が送話信号有りと判断した場合には受話信号を前記遅延部に渡す制御部と
を備えたことを特徴とする電話装置。
【請求項２】
話者の送話音声を送話信号に変換する送話部と、
電話回線側から入来する受話信号を受話音声に変換する受話部と、
前記送話部から入来する送話信号の有無を検出する送話検出部と、
電話回線の２線と、前記送話部と前記受話部とに接続される４線とを接続する２線４線変換回路と、
狭帯域音声信号から広帯域音声信号を擬似的に生成する帯域拡張部と、
前記帯域拡張部の演算処理によって生じる遅延時間と同量の遅延を、狭帯域音声信号に与える遅延部と、
前記送話検出部が送話信号無しと判断した場合には前記２線４線変換回路から入来する受話信号を前記帯域拡張部に渡し、前記送話検出部が送話信号有りと判断した場合には同受話信号を前記遅延部に渡す制御部と
を備えたことを特徴とする電話装置。
【請求項３】
親機と、
前記親機との間で無線通信が可能な子機と
からなる電話装置であり、
送話信号の有無を検出する送話検出部と、
狭帯域音声信号から広帯域音声信号を擬似的に生成する帯域拡張部と、
前記帯域拡張部の演算処理によって生じる遅延時間と同量の遅延を、狭帯域音声信号に与える遅延部と、
前記送話検出部が送話信号無しと判断した時から一定時間待機した後、受話信号を前記帯域拡張部に渡し、前記送話検出部が送話信号有りと判断した場合には受話信号を前記遅延部に渡す制御部と
を備えたことを特徴とする電話装置。
【請求項４】
前記２線４線変換回路を親機に、
前記送話部と前記受話部と前記送話検出部とを子機に備え、
前記親機と前記子機とを無線接続し、
前記制御部は、前記送話検出部が送話信号無しと判断した時から一定時間待機した後、受話信号を前記帯域拡張部に渡す
ことを特徴とする請求項２に記載の電話装置。
【請求項５】
送話信号の大きさを検出する送話検出部と、
狭帯域音声信号から広帯域音声信号を擬似的に生成する帯域拡張部と、
前記帯域拡張部の演算処理によって生じる遅延時間と同量の遅延を、狭帯域音声信号に与える遅延部と、
前記送話検出部が送話信号が小さいと判断した場合には、その小ささに応じて電話回線側から入来する受話信号を前記帯域拡張部に渡す割合を多くするとともに前記遅延部に渡す割合を少なくし、前記送話検出部が送話信号が大きいと判断した場合には、その大きさに
応じて受話信号を前記帯域拡張部に渡す割合を少なくするとともに前記遅延部に渡す割合を多くする制御部と
を備えたことを特徴とする電話装置。
【請求項６】
話者の送話音声を送話信号に変換する送話部と、
電話回線側から入来する受話信号を受話音声に変換する受話部と、
前記送話部から入来する送話信号の大きさを検出する送話検出部と、
電話回線の２線と、前記送話部と前記受話部とに接続される４線とを接続する２線４線変換回路と、
狭帯域音声信号から広帯域音声信号を擬似的に生成する帯域拡張部と、
前記帯域拡張部の演算処理によって生じる遅延時間と同量の遅延を、狭帯域音声信号に与える遅延部と、
前記送話検出部が送話信号が小さいと判断した場合には、その小ささに応じて前記２線４線変換回路から入来する受話信号を前記帯域拡張部に渡す割合を多くするとともに前記遅延部に渡す割合を少なくし、前記送話検出部が送話信号が大きいと判断した場合には、その大きさに応じて受話信号を前記帯域拡張部に渡す割合を少なくするとともに前記遅延部に渡す割合を多くする制御部と
を備えたことを特徴とする電話装置。
【請求項７】
親機と、
前記親機との間で無線通信が可能な子機と
からなる電話装置であり、
送話信号の大きさを検出する送話検出部と、
狭帯域音声信号から広帯域音声信号を擬似的に生成する帯域拡張部と、
前記帯域拡張部の演算処理によって生じる遅延時間と同量の遅延を、狭帯域音声信号に与える遅延部と、
前記送話検出部が送話信号が小さいと判断した時から一定時間待機した後、受話信号を前記帯域拡張部に渡す割合を多くすることを開始するとともに前記遅延部に渡す割合を少なくすることを開始し、前記送話検出部が送話信号が大きいと判断した場合には、受話信号を前記帯域拡張部に渡す割合を少なくするとともに前記遅延部に渡す割合を多くする制御部と
を備えたことを特徴とする電話装置。
【請求項８】
前記２線４線変換回路を親機に、
前記送話部と前記受話部と前記送話検出部とを子機に備え、
前記親機と前記子機とを無線接続し、
前記制御部は、前記送話検出部が送話信号が小さいと判断した時から一定時間待機した後、受話信号を前記帯域拡張部に渡す割合を多くすることを開始するとともに前記遅延部に渡す割合を少なくすることを開始する
ことを特徴とする請求項６に記載の電話装置。
【発明の詳細な説明】
【技術分野】
【０００１】
本発明は、音声信号に帯域拡張処理をおこない、狭帯域音声信号から広帯域音声信号を擬似的に生成する電話装置に関するものである。
【背景技術】
【０００２】
従来の電話装置においては、受話経路に入来する信号に対し、コードブックマッピング方式や、音声信号の分析・合成（Ｓｙｎｔｈｅｓｉｓ  ｂｙ  Ａｎａｌｙｓｉｓ）を基本とする拡張方式、折り返し信号を用いて高域を補償する方式などを用いて、ディジタル信号処理により音声信号の帯域拡張をおこなうものがあった（例えば、特許文献１参照。）。
【特許文献１】特開２００２−０８２６８５号公報
【発明の開示】
【発明が解決しようとする課題】
【０００３】
しかしながら、上記従来の構成においては、受話経路に入来する信号に単純に帯域拡張処理をおこなうと、遠端話者の音声だけではなく側音も帯域拡張されてしまう。
【０００４】
側音とは、受話器から聞こえる自分の声のことであり、電話装置の２線４線変換回路におけるインピーダンスの不整合によって受話経路に戻る近端話者の送話音声である。一般の電話装置では、この側音を無くす事は難しく、また受話器から自分の声が聞こえることにより発声内容を確認できるため、むしろ自然な通話にはある程度の側音が必要であると言われている。しかし一方で、側音は歪や雑音の影響を受けやすいため、帯域拡張処理を受けると、同時に歪や雑音が増大し、聴覚的な音質がかえって低下してしまう場合が多い。
【０００５】
そのため、受話経路に入来する信号に単純に帯域拡張処理を行うと、たとえ遠端話者の音声は自然に拡張されていても、歪や雑音が増大した側音も受話器から聞こえるため、通話品質全体の印象を損なう結果となってしまう。
【課題を解決するための手段】
【０００６】
上記従来の課題を解決するために、本発明の電話装置は、送話の有無を検知する送話検知部と、送話中でないときには受話信号を帯域拡張部に渡し送話中であるときには受話信号を遅延部に渡す制御部とを備えている。
【発明の効果】
【０００７】
本発明の電話装置は、送話中でないときには主に遠端話者の音声信号からなる受話信号を帯域拡張部に渡して帯域拡張し、送話中には主に側音信号からなる受話信号を遅延部に渡して帯域拡張部の演算処理によって生じる遅延時間と同量の遅延を与えることにより、側音の歪や雑音の増大を伴うことなく、帯域拡張処理を必要時のみ行うことができるという利点がある。
【発明を実施するための最良の形態】
【０００８】
第１の発明は、送話信号の有無を検出する送話検出部と、狭帯域音声信号から広帯域音声信号を擬似的に生成する帯域拡張部と、帯域拡張部の演算処理によって生じる遅延時間と同量の遅延を、狭帯域音声信号に与える遅延部と、送話検出部が送話信号無しと判断した場合には電話回線側から入来する受話信号を帯域拡張部に渡し、送話検出部が送話信号有りと判断した場合には受話信号を遅延部に渡す制御部とを備えたことを特徴とするもの
であり、近端話者の送話時には受話信号を帯域拡張しないことにより、歪や雑音の影響を受けやすい側音が帯域拡張され受話音声がかえって聞きづらくなることを防ぐことができるという作用を有する。
【０００９】
第２の発明は、親機と、親機との間で無線通信が可能な子機とからなる電話装置であり、送話信号の有無を検出する送話検出部と、狭帯域音声信号から広帯域音声信号を擬似的に生成する帯域拡張部と、帯域拡張部の演算処理によって生じる遅延時間と同量の遅延を、狭帯域音声信号に与える遅延部と、送話検出部が送話信号無しと判断した時から一定時間待機した後、受話信号を帯域拡張部に渡し、送話検出部が送話信号有りと判断した場合には受話信号を遅延部に渡す制御部とを備えたことを特徴とするものであり、親機と子機との間の通信に時間がかかるコードレスホンにおいても、側音が帯域拡張されることを防ぐことができるという作用を有する。
【００１０】
第３の発明は、送話信号の大きさを検出する送話検出部と、狭帯域音声信号から広帯域音声信号を擬似的に生成する帯域拡張部と、帯域拡張部の演算処理によって生じる遅延時間と同量の遅延を、狭帯域音声信号に与える遅延部と、送話検出部が送話信号が小さいと判断した場合には、その小ささに応じて電話回線側から入来する受話信号を帯域拡張部に渡す割合を多くするとともに遅延部に渡す割合を少なくし、送話検出部が送話信号が大きいと判断した場合には、その大きさに応じて受話信号を帯域拡張部に渡す割合を少なくするとともに遅延部に渡す割合を多くする制御部とを備えたことを特徴とするものであり、帯域拡張部と遅延部とを切替えていずれかに受話信号を渡す場合よりも、切替え時に生じる不連続感を減少させることができるという作用を有する。
【００１１】
以下、本発明の実施の形態について、図面を参照しながら説明する。
【００１２】
（実施の形態１）
図１は本発明の実施の形態１における電話装置のブロック構成図、図２は本発明の実施の形態１における電話装置の帯域拡張処理の処理構成図、図３は本発明の実施の形態１における電話装置の帯域拡張処理のフローチャートである。
【００１３】
図１を用いて、本実施の形態における電話装置の構成について説明する。
【００１４】
１０１は電話装置における送受話器の送話部である。送話部１０１は近端話者の送話音声を電気信号へと変換するためのマイクを備えている。このマイクは背景雑音も電気信号に変換する。１０６は電話装置における送受話器の受話部である。受話部１０６は電話回線から入来する遠端話者の音声信号を音声へと変換するためのスピーカーを備えている。近端話者の側音信号もこの受話部１０６のスピーカーにおいて変換される。１０２は送話部１０１から入来する送話信号の振幅もしくはパワーを測定し、測定値が閾値を超えた時に、スイッチング信号を出力する送話検出部である。
【００１５】
１０３は送話部１０１に接続される２線と、受話部１０６に接続される２線との計４線を、送話信号と受話信号とが重畳する電話回線（２線）に接続するための２線４線変換回路である。ここで送話部１０１から送話検出部１０２を経て２線４線変換回路１０３に至る信号経路を送話経路、２線４線変換回路１０３から受話部１０６に至る信号経路を受話経路と称す。
【００１６】
１０４は受話信号に帯域拡張処理を行う帯域拡張部、１０５は受話信号に遅延を与える遅延部である。１０７は送話検出部１０２からのスイッチング信号に従い、帯域拡張部１０４と遅延部１０５とを受話経路において切替える制御部である。
【００１７】
近端話者によって入力された送話信号は、送話経路から２線４線変換回路１０３へ入力され電話回線へと出ていく。一方、電話回線から入来する遠端話者の音声信号は２線４線変換回路１０３から受話経路へと入る。２線４線変換回路１０３から帯域拡張部１０４または遅延部１０５に向かう信号を受話信号と称す。側音信号（送話信号が２線４線変換回路１０３から受話経路に戻る）がある場合、これも受話信号とともに２線４線変換回路１０３から受話経路に戻り、制御部１０７を介して帯域拡張部１０４または遅延部１０５に入力される。
【００１８】
以下に、本実施の形態における電話装置の動作について、送話検出部１０２における送話信号の振幅もしくはパワーの測定値が閾値以下である場合と閾値以上である場合とに分けて詳細に説明する。
【００１９】
（１）閾値以下である場合
送話信号の振幅もしくはパワーの測定値がある閾値以下である場合、帯域拡張部１０４が受話経路に接続している。帯域拡張部１０４は、受話信号に帯域拡張処理を行い、ここで帯域拡張された信号が、受話部１０６のスピーカーにおいて受話音声へと変換される。
【００２０】
送話信号の振幅もしくはパワーの測定値がある閾値以下である時、近端話者は発話しておらず、遠端話者が発話していることが多い。すなわち受話信号は主に遠端話者の音声信号であると考えられる。この受話信号は、上記構成により、帯域拡張部１０４において帯域拡張される。
【００２１】
ここで、帯域拡張部１０４においておこなわれる帯域拡張処理について、図２を用いて説明する。本発明の帯域拡張処理においては、入力される狭帯域音声信号を用いて、帯域制限を受ける前の、話者の音声に本来存在していた高い周波数帯域の信号（高域信号）と低い周波数帯域の信号（低域信号）とを推測して再成し、この高域信号と低域信号と入力される狭帯域音声信号とを、それぞれの遅延時間と音量比とを調整し、加算することにより、狭帯域音声信号から広帯域音声信号を擬似的に生成する。
【００２２】
まず、高域信号再成について説明する。
【００２３】
高域除去ステップ２０２において低域通過フィルタにより、入力音声信号２０１の２．５ｋＨｚ以上の信号を除去する。これにより、雑音の割合が大きく、劣化しやすい高域信号が除去される。
【００２４】
高域信号再成ステップ２０３では、高域除去ステップ２０２において高域が除去された３００Ｈｚ〜２．５ｋＨｚの信号を用いて、３．５ｋＨｚ以上の信号を再成する。これにより、帯域制限を受ける前の、話者の音声に本来存在していた高い周波数帯域の信号を再成することができる。
【００２５】
音声信号の再成方法には、コードブックマッピングを用いる方法、ＬＰＣ残差信号や自己相関信号などを用いて音声信号の分析・合成（Ｓｙｎｔｈｅｓｉｓ  ｂｙ  Ａｎａｌｙｓｉｓ）をおこなう方法、折り返し信号を用いて高域を補償する方式、周波数シフトを用いる方法、全波整流や半波整流の整流処理を用いる方法を採用することができる。
【００２６】
例えばコードブックマッピングを用いる方法を採用する場合、参照する音声信号と同じ周波数帯域の音声信号のコードブックを用いて参照する信号を符号化し、帯域制限を受ける前の話者の音声に本来存在していた周波数帯域の信号を含む広帯域音声信号のコードブックにおける、対応する符号データを復号化し広帯域の音声信号を得る。そして、この広帯域の音声信号から必要とする信号帯域を抽出する。これは、入力音声信号を残し、拡張
した帯域の信号を付加して出力した方が推定誤差の影響を少なくすることができるからである。
【００２７】
すなわち本実施の形態でコードブックマッピングを用いて３．５ｋＨｚ以上の高域音声信号を再成する場合、周波数が２．５ｋＨｚ以上の高域を含まない狭帯域音声信号のコードブックを用いて入力音声信号を符号化し、３．５ｋＨｚ以上の高域を含む広帯域音声信号のコードブックにおける、対応する符号データを復号化する。このようにして広帯域の音声信号を推定し、この音声信号から３．５ｋＨｚ以上の信号帯域を抽出する。ここで推定した広帯域音声をそのまま出力せずに、推定した広帯域音声から必要とする周波数帯域の信号を抽出し入力音声信号に付加して出力することにより、推定誤差の影響を少なくすることができる。
【００２８】
次に低域信号再成について説明する。
【００２９】
低域除去ステップ２０４において高域通過フィルタにより、入力音声信号２０１の５００Ｈｚ以下の信号を除去する。これにより、ハムノイズ等が音声信号に対して目立ちやすく、信号の劣化しやすい低域信号を除去することができる。
【００３０】
低域信号再成ステップ２０５では、低域除去ステップ２０４において劣化しやすい低域が除去された５００Ｈｚ〜３．５ｋＨｚの信号を用いて、３００Ｈｚ以下の信号を再成する。これにより、帯域制限を受ける前の、話者の音声に本来存在していた低い周波数帯域の信号を再成することができる。
【００３１】
帯域合成ステップ２０６では、高域信号再成ステップ２０３で再成した３．５ｋＨｚ以上の高域信号と、低域信号再成ステップ２０５で再成した３００Ｈｚ以下の低域信号と、３００Ｈｚから３．５ｋＨｚに帯域制限された電話音声である入力音声信号２０１とを加算する。これにより、擬似的に広帯域の音声信号を再成することができる。
【００３２】
以上の構成により、送話信号の振幅もしくはパワーの測定値が閾値以下である場合、本発明の電話装置は、帯域制限を受ける前の、話者の音声に近い広帯域音声を再成することができる。
【００３３】
（２）閾値以上である場合
送話信号の振幅もしくはパワーの測定値が閾値以上である場合、送話検出部１０２は、スイッチング信号を制御部１０７に送信する。制御部１０７はスイッチング信号を受信すると、帯域拡張部１０４を受話経路から切り離し、遅延部１０５を受話経路に接続する。送話検出部１０２は測定値が閾値を下回るまでスイッチング信号を送信しつづける。遅延部１０５は、帯域拡張部１０４の演算処理によって生じる遅延時間と同量の遅延を受話信号に与える。ここで遅延処理された信号が、受話部１０６のスピーカーにおいて受話音声へと変換される。
【００３４】
送話信号の振幅もしくはパワーの測定値が閾値以上である時、近端話者が発話し、２線４線変換回路１０３から受話経路へと入る受話信号は、主に送話信号が戻った側音信号であることが多い。この側音信号は、上記構成により帯域拡張処理を受けることなく受話部１０６から音声として出力される。そのため、側音が帯域拡張されて歪や雑音が増大し通話品質が低下することを防ぐことができる。
【００３５】
次に、図３を用いて本実施の形態における電話装置の処理の流れについて確認する。
【００３６】
本実施の形態における電話装置は、送話信号の振幅もしくはパワーを測定し（ステップ
３０１）、この測定値をある閾値と比較する（ステップ３０２）。測定値が閾値以下のときを送話中でないと判断し、受話信号を帯域拡張部に渡す（ステップ３０３）。ここで受話信号が帯域拡張され（ステップ３０４）、近端話者の送受話器の受話部から出力される（ステップ３０５）。一方、測定値が閾値以上のときを送話中であると判断し、受話信号を遅延部に渡す（ステップ３０６）。ここで受話信号が遅延処理を受け（ステップ３０７）、近端話者の送受話器の受話部から出力される（ステップ３０８）。
【００３７】
この構成により、近端話者が送話中である場合に受話信号（主に側音信号）が帯域拡張されることを防ぐことが可能となる。また、近端話者の背景雑音が大きい場合にも、この背景雑音の側音信号が帯域拡張されることを防ぐことが可能となる。また、近端話者と遠端話者が同時に発話するダブルトーク時にも、側音信号と受話信号とがともに帯域拡張されることを防ぐことが可能となる。
【００３８】
以上のように本実施の形態における電話装置によると、遠端話者の音声信号に対しては帯域拡張処理をおこなうことにより、明瞭度と音質印象を改善することができる。一方送話時には、帯域拡張処理を無効化する事で、近端話者の側音信号が帯域拡張されないようにすることができる。すなわち帯域拡張処理による逆効果を低減することが可能となる。また、送話時の受話信号に遅延を加えることで、帯域拡張処理のオンオフ切替え時に波形が不連続になることを防ぎ、ノイズの発生を抑えることができる。
【００３９】
（実施の形態２）
本発明の実施の形態２における電話装置は、本発明の実施の形態１における電話装置を、親機と子機との間で無線通信をおこなうコードレスホンに適用したものであり、図１における、送話部１０１と送話検出部１０２と帯域拡張部１０４と遅延部１０５と受話部１０６と制御部１０７とを備えた子機と、２線４線変換回路１０３を備えた親機とで構成される。
【００４０】
コードレスホンにおいて側音信号は、子機から無線通信部分を介して親機に送信され、２線４線変換回路１０３をまわった後、さらに無線通信部分を介して子機へと戻るため、大きく遅延する。一方制御部１０７は、送話検出部１０２での信号検出がなくなりスイッチング信号が止むとすぐに帯域拡張部１０４をオンにする。このため近端話者が発話を停止すると、先ず帯域拡張部がオンとなり、遅れて側音信号が受話経路に入り帯域拡張されることがあった。
【００４１】
図４は本発明の実施の形態２における電話装置の帯域拡張処理のタイミングチャートである。
【００４２】
図４を用いて、本実施の形態の電話装置における帯域拡張処理のオン／オフについて説明する。
【００４３】
送話検出部が近端話者の送話信号を検出すると（４０１）、送話検出部はすぐに制御部へスイッチング信号を送信し、制御部は帯域拡張処理をオフにする。これにより、近端話者が送話中である場合に側音信号が帯域拡張されることを防ぐことができる。一方、送話検出部が近端話者の送話信号を検出しなくなると（４０２）、送話検出部はある一定の時間（ホールドタイムと称す）待機した後（４０３）、制御部へのスイッチング信号送信を停止し、制御部はスイッチング信号の停止をうけて帯域拡張部をオンにする。これにより、近端話者が送話中でない場合に遠端話者からの音声信号を帯域拡張することで、聞きとりやすい音声を出力することができる。また、送話検出部が送話信号を検出しなくなってから制御部へのスイッチング信号送信を停止するまでの間にホールドタイムを設け、側音信号の遅延の分だけ帯域拡張部の処理の開始を遅らせることで、受話部からの側音信号が
止んだ後に帯域拡張部をオンにすることができるので、側音信号が帯域拡張されることを防ぐことができる。
【００４４】
（実施の形態３）
図５は本発明の実施の形態３における電話装置のブロック構成図、図６は本発明の実施の形態３における電話装置の帯域拡張処理のフローチャートである。
【００４５】
図５を用いて、本実施の形態における電話装置の構成について説明する。
【００４６】
本実施の形態における電話装置は、送話検出部５０２が制御部５０７に送話信号の測定値を送信し、制御部５０７がその測定値に対応して帯域拡張部５０４と遅延部５０５とに受話信号を振分ける。なお、本発明の実施の形態１と同じ部分については説明を省略する。
【００４７】
送話検出部５０２は、送話部５０１からくる送話信号の振幅もしくはパワーを測定し、測定値を制御部５０７に送信する。具体的には、例えば送話信号の最大値を仮に１０としたときに、送話検出部５０２の測定値が７である場合、制御部５０７は送話信号の測定値を送話検出部５０２から受け取り、測定値の大きさに逆比例する増幅率すなわち受話信号レベルの３／１０を帯域拡張部５０４に渡し、測定値の大きさに比例する増幅率すなわち受話信号レベルの７／１０を遅延部５０５に渡す。
【００４８】
帯域拡張部５０４は、制御部５０７において振分けられた受話信号を用いて、帯域制限を受ける前の、話者の音声に本来存在していた周波数帯域の信号を推測して再成し、この再成した信号と入力される狭帯域音声信号とを、それぞれの遅延時間と音量比とを調整し、加算することにより、広帯域音声信号を擬似的に生成する。この帯域拡張処理方法の詳細は、本発明の実施の形態１で述べた方法と同様である。遅延部５０５は、制御部５０７において振分けられた受話信号に、帯域拡張部５０４の演算処理によって生じる遅延時間と同量の遅延を与える。帯域拡張部５０４において帯域拡張された受話信号と遅延部５０５において遅延処理された受話信号とは加算され、受話部５０６において受話音声に変換される。
【００４９】
次に、図６を用いて本実施の形態における電話装置の処理の流れについて確認する。
【００５０】
本実施の形態における電話装置は、送話信号の振幅もしくはパワーを測定する（ステップ６０１）。受話信号を測定値の大きさに逆比例する増幅率で帯域拡張部に渡す（ステップ６０２）。ここで受話信号が帯域拡張される（ステップ６０３）。一方、受話信号を測定値の大きさに比例する増幅率で遅延部にも渡す（ステップ６０４）。ここで受話信号が遅延処理を受ける（ステップ６０５）。ステップ６０３において帯域拡張処理をされた受話信号とステップ６０５において遅延処理された受話信号とは加算され（ステップ６０６）、近端話者の送受話器の受話部から出力される（ステップ６０７）。
【００５１】
これにより、帯域拡張処理をオンとオフで切替えるのではなく、段階的にかかり具合が変化するようにしたことで、帯域拡張された音声から帯域拡張されていない音声に、またはその逆の順番で、音声が突然切り替わることを防ぐことが可能となる。
【００５２】
以上のように本実施の形態における電話装置によると、近端話者の発話時に側音信号が歪や雑音成分と共に帯域拡張されて送受話器の受話部から聞こえることによる違和感を軽減することができ、さらに帯域拡張処理の切替え時に感じる不連続感を減少させることが可能となる。
【００５３】
なお、本実施の形態における電話装置を、本発明の実施の形態２で述べたように親機と子機との間で無線通信をおこなうコードレスホンに適用することも同様に実施可能である。
【産業上の利用可能性】
【００５４】
本発明にかかる電話装置は、側音の歪や雑音の増大を伴うことなく、帯域拡張処理を必要時のみ行うことが必要な電話装置等の用途にも適用できる。
【図面の簡単な説明】
【００５５】
【図１】本発明の実施の形態１における電話装置のブロック構成図
【図２】本発明の実施の形態１における電話装置の帯域拡張処理の処理構成図
【図３】本発明の実施の形態１における電話装置の帯域拡張処理のフローチャート
【図４】本発明の実施の形態２における電話装置の帯域拡張処理のタイミングチャート
【図５】本発明の実施の形態３における電話装置のブロック構成図
【図６】本発明の実施の形態３における電話装置の帯域拡張処理のフローチャート
【符号の説明】
【００５６】
１０１    送話部
１０２    送話検出部
１０３    ２線４線変換回路
１０４    帯域拡張部
１０５    遅延部
１０６    受話部
１０７    制御部
２０１    入力音声信号
２０２    高域除去ステップ
２０３    高域信号再成ステップ
２０４    低域除去ステップ
２０５    低域信号再成ステップ
２０６    帯域合成ステップ
【図１】
2005101917.tif 000003
【図２】
2005101917.tif 000004
【図３】
2005101917.tif 000005
【図４】
2005101917.tif 000006
【図５】
2005101917.tif 000007
【図６】
2005101917.tif 000008